(57)【要約】【課題】  泥棒等犯行者の建物への侵入路に設置する防犯用粘着シートとして、軽量で運搬・設置が容易で、収納時に折畳むとき粘着面間に挟むセパレータが不要で、構造簡単でコストが極めて安く、非使用時に容易に収納場所に収納できるものを提供する。【解決手段】  一枚の所定形状の厚板紙乃至プラスチック段ボールより、展開可能に各パネルを折込んで形成した直方体状のケース1cの内面に、粘着剤を塗布し剥離可能にカバーシートを被覆して形成した粘着剤塗布シート２を貼着し、側縁パネル13及び中間側縁パネル14同士をそれぞれ面ファスナー５を用いてワンタッチで着脱できるようにして、展開し、カバーシートを剥離して粘着面を露出せしめて使用可能にし、収納時は折曲げ直方体状にする。【選択図】図１
2005157725.tif 000002
【特許請求の範囲】
【請求項１】
一枚の所定形状の厚板紙乃至プラスチック段ボールより展開可能に形成された直方体状のケース1c内面に、粘着剤Ａを塗布し表面に剥離可能にカバーシート21を被覆して形成した粘着剤塗布シート２を貼着してなり、展開し、カバーシートを剥離して使用可能にしたことを特徴とする直方体型防犯用粘着シート。
【請求項２】
狭幅の中央パネル11の長辺の両側に、それぞれ折目線15を介して、広幅の側壁パネル12、12と、該側壁パネル12、12の外側縁に、前記中央パネル11と略同一幅の一対の側縁パネル13、13を一体的に連設したベースシート１に、前記粘着剤塗布シート２を一方の側縁パネル13を残して側壁パネル12、中央パネル11、側壁パネル12、側縁パネル13を通して折込内面に貼着してなる粘着シート３を、前記一対の側縁パネル13、13を着脱自在に重畳せしめて狭幅の直方体状に形成したこと特徴とする請求項１記載の直方体型防犯用粘着シート。
【請求項３】
中央パネル11両側の一対の側壁パネル12、12の少くとも片側の一対の外側縁に、それぞれ折目線16を介して中央パネル11より稍狭幅の一対の中間側縁パネル14、14を着脱自在に重畳可能に設けた請求項２記載の直方体型防犯用粘着シート。
【請求項４】
一対の側縁パネル13、13及び一対の中間側縁パネル14、14の着脱自在の重畳は、側縁パネル13、13及び中間側縁パネル14、14に貼着した面ファスナー５による請求項２又は３記載の直方体型防犯用粘着シート。
【発明の詳細な説明】
【技術分野】
【０００１】
この発明は、泥棒等犯行者の建物内への侵入や盗難などの犯行を防止するための防犯用粘着シートに関し、より詳しくは不使用時の粘着シートの収納を容易にした直方体型防犯用粘着シートに関するものである。
【背景技術】
【０００２】
従来、泥棒等犯行者の外部からの侵入を防止するために、侵入路に設置して粘着シート上を犯行者が歩行した際、該犯行者が粘着シートに足を取られて侵入を防止するようにしたものは知られており、この場合、粘着式防犯用マットとして、建物の警備解除時間帯において、防犯用マットを折畳んで所定の場所に容易に収容するようにしているものがある（例えば、特許文献１参照）。
【０００３】
本出願人は、先に、特願２００３−２８５９６５号により、特許文献１に開示された粘着式防犯用マットや従来の防犯用粘着シートが、防犯用マットや粘着シート上の歩行による該マット乃至粘着シートとの接触・粘着により犯行者の行為を遅らせてそれにより犯行を阻止するか、或いはその間に犯行者の逃亡まえの警備員等の現場への急行を確保することにより防犯効果を高めると共に物証の遺留を確保して捜査に資することができるものであるが、犯行者が逃亡後は粘着マット乃至粘着シートには、犯行者の遺留証拠として足跡（靴跡）や頭髪、衣類の布屑等の付着ができても、確実な証拠である指紋の採取は期待することができなかったのを改善して、粘着はするが犯行者に付着せず剥離することができる特定のゼリー状粘着剤を使用して、犯行者が粘着シートに接触した際、洋服の繊維や頭髪など犯行者から分離したものは粘着するが、粘着面から剥がれる指については、その指紋を確実に粘着面に形成できて有力な証拠として収集できるとともに、使用しないときはコンパクトな収納状態にできるロール型防犯用粘着シートの提案を行った。
【０００４】
【特許文献１】特開２００１−１５５２６４号公報（請求項１〜４、段落０００８、０００９）
【発明の開示】
【発明が解決しようとする課題】
【０００５】
特許文献１記載の防犯用マットは、マット本体の上面に粘着剤層を設けた折畳み式のもので、粘着剤層により粘着力の強いものを形成できるものであるが、収納時に折畳みにより対面させる粘着剤層間に挟持させる両面剥離処理セパレータは必須物である。従って、防犯用マットを警戒時間帯に警戒領域に運んで展開して設置する場合、剥離したセパレータの保管場所が必要で、所定収納場所などに運ぶ手間を要する。
また、マット本体は、接着剤層周縁を規定するための枠縁を必要とし、型成形品によらざるを得ず、大きさ（例えば７００ｍｍ×１３００ｍｍ：段落１５に記載）にもよるが或る程度の重量（段落１９では約３ｋｇの記載がある）は避けられず前記セパレータと併せてコストが高くつく問題がある。
【０００６】
一方、本出願人の出願に係るロール型防犯用粘着シートは、内蔵スプリングにより転回してロール状に復元する布製シートに特定のゼリー状粘着剤を用いている関係上、コストが高くつき、ロールからシートを引出して展張乃至被覆状態で建物の扉前面や自動車の運転席などを覆うもので、建物内への進入路に設置してその上を犯行者が歩行するようになっていない。
【０００７】
本発明は、上記の点に鑑みてなされたものであって、防犯用マットを折畳み収納時に粘着剤層間に挟持させるコストのかかる両面剥離処理セパレータを必要とせず、防犯用マットを展開使用するとき、（該マット使用後の収納時に折畳む為に必要な）剥離した両面処理セパレータの保管場所を必要とせず、軽量で運搬・設置が容易であって、粘着力は公知文献１の防犯マットのように強力ではないものの実用上充分で、構造簡単で、コストが極めて安く非使用時の収納容易な直方体型防犯用粘着シートを提供することを目的とする。
【課題を解決するための手段】
【０００８】
上記目的を達成するために、本発明の直方体型防犯用粘着シートは、一枚の所定形状の厚紙板乃至プラスチック段ボールより展開可能に形成された直方体状のケース1cの内面に、粘着剤Ａを塗布し表面に剥離可能にカバーシート21を被覆して形成した粘着剤塗布シート２を貼着して構成されたもので、展開し、カバーシートを剥離して使用可能にしたことを特徴としている。
【０００９】
上記直方体型防犯用粘着シートは、狭幅の中央パネル11の長辺の両側に、それぞれ折目線15を介して、広幅の側壁パネル12、12と、該側壁パネル12、12の外側縁に、前記中央パネル11と略同一幅の一対の側縁パネル13、13を一体的に連設したベースシート1 に、前記粘着剤塗布シート２を一方の側縁パネル13を残して側壁パネル12、中央パネル11、側壁パネル12、側縁パネル13を通して折込内面に貼着して形成された粘着シート３を、前記一対の側縁パネル13、13を着脱自在に重畳せしめて狭幅の直方体状に形成することが効果的である。
【００１０】
上記直方体型防犯用粘着シートでは、上記中央パネル11両側の一対の側壁パネル12、12の少なくとも片側の一対の外側縁に、それぞれ折目線16を介して中央パネル11より稍狭幅の一対の中間側縁パネル14、14を着脱自在に重畳できるようにすることが望ましい。
【００１１】
また、上記一対の側縁パネル13、13及び一対の中間側縁パネル14、14の着脱自在の重畳は、側縁パネル13、13及び中間側縁パネル14、14に貼着した面ファスナーによるのが得策である。
【発明の効果】
【００１２】
請求項１記載の本発明の直方体型防犯用粘着シートによれば、防犯の対象とする建物の警戒すべき時間帯に建物内への侵入路に対し、本直方体型防犯用粘着シートを直方体から展開して、内面に貼着された粘着剤塗布シート２からカバーシート21を剥離して、警戒すべき建物内への侵入路に設置するとき、犯行者の当該防犯用粘着シート上の歩行によるシートとの接触・粘着により、犯行者が足を取られ、犯行を遅らせて犯行を断念させるなど犯行を阻止することができるものであるが、行為の遅れた時間内に犯行者の逃亡前の警備員の現場への到着ができるようになり、防犯効果を高めることができるとともに、粘着による物証を遺留せしめて捜査に資することができる。而も警戒時間帯経過後は、展開した粘着シートを折畳んで直方体状とすることにより、容易に収納場所に収納して再使用に備えることができ、軽量で構造簡単でコストも極めて安く形成できる。
【００１３】
請求項２記載の発明によれば、一枚のベースシート１に粘着剤塗布シート２を貼着して形成された粘着シート３から、直方体状に形成が容易で、且つ、使用時に展開設置が容易な直方体型防犯用粘着シートを形成することができる。
【００１４】
請求項３記載の発明によれば、一対の中間側縁パネル14、14により、直方体の少なくとも一方の中間側縁を形成することができるので、展開した粘着シート３から直方体の形状を良好に保持できる直方体型防犯用粘着シートを形成することができる。
【００１５】
請求項４記載の発明によれば、側縁パネル13、13及び中間側縁パネル14、14に貼着した面ファスナー５により、ワンタッチで該側縁パネル13、13及び中間側縁パネル14、14をすみやかに重畳接合させることができる。
この場合、２つ以上の展開した粘着シートの側縁パネル13乃至中間側縁パネル14に貼着した面ファスナー５の結合面を相互に重畳結合させることにより広い面積を覆うものを容易に組立形成でき、面積は広いほど大きな防犯効果を期待することができる。
また、面ファスナー５の副次的効果として、カーペット敷設面に対しては、鈎面による係合性があり、ずれを起すことなくしっかりと設置することができる。
【発明を実施するための最良の形態】
【００１６】
防犯用粘着シートを形成するに当たり、直方体状に形成した防犯用粘着シートから、之を展開し、粘着剤塗布シートからカバーシートを剥離して容易に使用することができるとともに、非使用時に収納容易な直方体型防犯用粘着シートをコスト安く実現した。
【実施例】
【００１７】
図１に、本発明の直方体型防犯用粘着シートの斜視図が示されており、図２に該直方体型防犯用粘着シートの展開図の図（Ａ）、及び、そのＢ−Ｂ視の厚さ方向を引伸して記載した部分拡大断面図の図（Ｂ）、及び、Ｃ−Ｃ視の同じく部分拡大断面図の図（Ｃ）が示されている。また、１はベースシート、1cは直方体状のケース、11は中央パネル、12は側壁パネル、13は側縁パネル、14は中間側縁パネル、15、16は折目線、２は粘着剤塗布シート、21はカバーシート、３は粘着シート、５は面ファスナー、Ａは粘着剤である。
【００１８】
図１に斜視図で示された起立状態の直方体型防犯用粘着シートは、図２（Ａ）に展開図で示す一枚の厚板紙乃至プラスチック段ボール（厚さは４ｍｍ程度）より裁断により形成されたベースシート１を、折目線（裏面より内面側を薄く残して切込み、内面側を折曲げ軸にして折込む）により適宜折曲げて、前後面が広幅で上部の閉鎖された直方体のケース1cを形成する。
【００１９】
ベースシート１は、狭幅の中央パネル11の長辺の両側に、それぞれ各折目線15を介して、広幅の側壁パネル12、12と、該側壁パネル12、12の外側縁に、前記中央パネル11と略同一幅の一対の側縁パネル13、13と、前記一対の側壁パネル12、12の片側（図面では上側）の一対の外側縁に、それぞれ折目線16を介して中央パネル11より稍狭幅の一対の中間側縁パネル14、14を一体的に連設して形成されている。
【００２０】
ベースシート１の折込み内面には、基材の上に粘着剤Ａを塗布し、表面に剥離可能に薄いカバーシート21を被覆して形成した粘着剤塗布シート２が、一方の側縁パネル13を残して側壁パネル12、中央パネル11、側壁パネル12、側縁パネル13を通して貼着して粘着シート３を形成している。そして、左右一対の側縁パネル13、13及び上側の一対の中間側縁パネル14、14には、各側縁パネル13にそれぞれ２ケ所に、各中間側縁パネル14にそれぞれ１ケ所に面ファスナー５が折込時対面して接合するように設けられている。
【００２１】
これにより、各折目線15、16の内面側を軸にして折曲げ、左右の側縁パネル13、13を重畳接合せしめるとともに、中央パネル上側の小パネル11' を内面側に折曲げ、その外面に中間側縁パネル14、14を同じく重畳接合せしめることにより、直方体状のケース1cの長手方向内面に粘着剤塗布シート２を貼着した直方体型防犯用粘着シートが完成する（図１参照）。そして警備の際には、之を展開して平面状とし、接着剤塗布シート２表面に被覆されたカバーシート21を剥離して粘着剤Ａの塗布面を露出せしめて警戒すべき建物内への犯行者の侵入路に設置するようにする。
【産業上の利用可能性】
【００２２】
防犯用粘着シートを用いて建物や店舗を警備する場合、警戒時間帯内において犯行者の侵入路に設置して警備することができるとともに、警戒解除時間帯では該粘着シートを折畳んで所定の収容場所に収容できるものを、折畳み収納時の粘着剤同士の粘着を防止するセパレータの必要を無くすと共に、従来品よりは軽量で運搬設置が容易でコストの極めて安い実用的な防犯用粘着シートを容易に提供することができる。
【図面の簡単な説明】
【００２３】
【図１】本発明の直方体型防犯用粘着シートの斜視図である。
【図２】直方体型防犯用粘着シートの展開図（Ａ）と、厚さ方向を引伸して記載した部分拡大断面図（Ｂ），（Ｃ）である。
【符号の説明】
【００２４】
１………ベースシート
1c………直方体状のケース
11………中央パネル
12………側壁パネル
13………側縁パネル
14………中間側縁パネル
15、16……折目線
２………粘着剤塗布シート
21………カバーシート
３………粘着シート
５………面ファスナー
Ａ………粘着剤
【図１】
2005157725.tif 000003
【図２】
2005157725.tif 000004